(57)【要約】【課題】部屋を見栄え良くすることができ、また、パネル状スピーカーを部屋に居る聴者の好み等に応じた高さに配置ｓるうことができるスピーカー装置を提供する。【解決手段】天井面４に形成された下方に開口する収納用空所５に下面が天井面４と略面一となるよう収納されるパネル状スピーカー１を備える。パネル状スピーカー１を昇降させるための昇降手段２を備える。【選択図】図１
2010081143.tif 000002
【特許請求の範囲】
【請求項１】
天井面に形成された下方に開口する収納用空所に下面が天井面と略面一となるよう収納されるパネル状スピーカーと、該パネル状スピーカーを昇降させるための昇降手段を備えたことを特徴とするスピーカー装置。
【請求項２】
前記昇降手段にて室内に位置するパネル状スピーカーを上昇させて収納用空所に収納する際、パネル状スピーカーを所定の収納位置へと導くガイド手段を備えたことを特徴とする請求項１に記載のスピーカー装置。
【請求項３】
前記パネル状スピーカーの向きを変更するための向き変更手段を備えたことを特徴とする請求項１又は請求項２に記載のスピーカー装置。
【発明の詳細な説明】
【技術分野】
【０００１】
本発明はパネル状スピーカーを備えたスピーカー装置に関する。
【背景技術】
【０００２】
従来、例えば特許文献１に示すように、室内の上部に配設したパネル状スピーカーが利用されている。このパネル状スピーカーは天井面に取り付けた支持機構により向きが調節できるよう支持されている。
【０００３】
しかし、上記のように部屋の上部にパネル状スピーカーや支持機構が配置されると、部屋の見栄えが悪くなる。また、特許文献１に示すパネル状スピーカーは、部屋に居る聴者の好み等に応じて高さを変更することができない。
【特許文献１】特開平１１−２２５３８４号公報
【発明の開示】
【発明が解決しようとする課題】
【０００４】
本発明は上記従来の問題点に鑑みてなされたものであって、部屋を見栄え良くすることができ、また、パネル状スピーカーを部屋に居る聴者の好み等に応じた高さに配置することができるスピーカー装置を提供することを課題とする。
【課題を解決するための手段】
【０００５】
上記課題を解決するために請求項１に係るスピーカー装置は以下の構成要件を有している。天井面４に形成された下方に開口する収納用空所５に下面が天井面４と略面一となるよう収納されるパネル状スピーカー１を備える。該パネル状スピーカー１を昇降させるための昇降手段２を備える。
【０００６】
請求項２に係るスピーカー装置は、請求項１の構成要件に加えて、以下の構成要件を有している。前記昇降手段２にて室内に位置するパネル状スピーカー１を上昇させて収納用空所５に収納する際、パネル状スピーカー１を所定の収納位置へと導くガイド手段１３を備える。
【０００７】
請求項３に係るスピーカー装置は、請求項１又は請求項２の構成要件に加えて以下の構成要件を有している。前記パネル状スピーカー１の向きを変更するための向き変更手段を備える。
【発明の効果】
【０００８】
請求項１に係る発明では、パネル状スピーカーを天井面に形成された収納用空所に下面が天井面と略面一とした状態で収納することができ、部屋の見栄えが良くなる。また、パネル状スピーカーは昇降手段により前記収納位置から下降させ、部屋の任意の高さ位置に配置することができる。このため、パネル状スピーカーを、部屋に居る聴者の好みや、周囲環境、出力する音等に応じて変更することができ、また、パネル状スピーカーの取り付けや交換、修理等をする際に低い位置で容易に作業を行うこともできる。
【０００９】
請求項２に係る発明では、請求項１に係る発明の効果に加えて、ガイド手段により、パネル状スピーカーを所定の収納位置に確実に配置できる。
【００１０】
請求項３に係る発明では、請求項１又は請求項２に係る発明の効果に加えて、向き変更手段により任意の高さ位置に配したパネル状スピーカーの向きを調節し、パネル状スピーカーからの音の発する方向を変更することができ、パネル状スピーカーから部屋の様々な箇所に居る聴者に向けて音を発することができる。
【発明を実施するための最良の形態】
【００１１】
本発明のスピーカー装置は、天井面４の一部を構成するパネル状スピーカー１と、該パネル状スピーカー１を昇降させるための昇降手段２とで構成され、後述の音源装置とで部屋の音響システムを構築するものである。
【００１２】
本発明の一例のスピーカー装置を図１乃至図３に基づいて説明する。該スピーカー装置のパネル状スピーカー１は、天井面の一部を構成する略矩形板状のパネル７に加振器８（図１参照）を設けたものである。
【００１３】
図３に示すように、パネル７は、パネル状スピーカー１の発音面となる下面を構成する振動板７ａと、パネル状スピーカー１の上面を構成して振動板７ａの周縁を支持する背面板７ｂとで構成されている。
【００１４】
加振器８は振動板７ａの上面中央部に設けられ、振動板７ａと背面板７ｂの間に配置されている。加振器８はオーディオ機器やビデオ装置等の図示しない音源装置からの出力信号を受けて振動板７ａを振動させ、これにより、振動板７ａから音源装置からの出力信号に応じた音を下方に向けて発する。
【００１５】
図２に示すように、前記パネル状スピーカー１は部屋の天井面４に形成された下方に開口する収納用空所５に水平で且つその下面が天井面４と略面一にされた状態で収納される。
【００１６】
天井面４は天井下地１０に設けられた天井材６により構成される。収納用空所５は天井材６にパネル状スピーカー１とサイズ及び形状が略同じ孔を形成することにより形成された凹所からなる。
【００１７】
昇降手段２は、ワイヤーやロープ等からなる索状体３を用いてパネル状スピーカー１を吊り下げ支持する電動のウインチ２ａからなり、該ウインチ２ａは天井裏に設けられている。
【００１８】
図３に示すように、ウインチ２ａにより巻き取られる索状体３は凹所からなる収納用空所５の底面を構成する天井下地１０を挿通し、パネル状スピーカー１の背面板７ｂに接続されている。なお、パネル状スピーカー１は単一の索状体３でのみ支持されるものであっても良いが、パネル状スピーカー１を水平に保持するには複数の索状体３でパネル状スピーカー１の複数箇所を夫々支持するのが良い。
【００１９】
パネル状スピーカー１の上限位置は図２の実線で示すようにパネル状スピーカー１の下面を天井面４と面一として収納用空所５に収納した位置である。この上限位置は後述の機械式センサ１１によるパネル状スピーカー１の検知又はウインチ２ａのトルクの検知により認識される。
【００２０】
ウインチ２ａの駆動は図示しない操作部を操作することにより制御される。
【００２１】
操作部は上昇スイッチと下降スイッチを備えている。上昇スイッチを押し操作している間には索状体３を巻き取ってパネル状スピーカー１を上昇させ、また、下降スイッチを押し操作している間には索状体３を繰り出してパネル状スピーカー１を下降させる。これにより、パネル状スピーカー１を部屋の任意の高さに配置できるようになっている。
【００２２】
また、操作部は自動スイッチを備えている。自動スイッチを操作することで、ウインチ２ａにより、パネル状スピーカー１を前記収納用空所５に収納した位置から出荷時や操作部の操作により予め設定された所定の高さ位置まで自動的に下降させたり、この所定の高さ位置から前記収納用空所５に収納した位置まで自動的に上昇させたりすることができるようになっている。この所定の高さ位置にパネル状スピーカー１が位置したことはウインチ２ａのトルクの検知等により認識される。
【００２３】
また、本例のスピーカー装置は、ウインチ２ａにて室内にあるパネル状スピーカー１を上昇させて収納用空所５に収納する際、パネル状スピーカー１を所定の収納位置へと導くガイド手段１３を備えている。
【００２４】
ガイド手段１３は、図３に示すパネル状スピーカー１に設けられた被ガイド部材１３ａと、収納用空所５に設けられて被ガイド部材１３ａをガイドするガイド部材１３ｂとで構成されている。
【００２５】
被ガイド部材１３ａは背面板７ｂの上面に複数設けられている。各被ガイド部材１３ａの中央には上方に突出する円柱状の被ガイド部１５が形成されている。また、各被ガイド部材１３ａの中心部には上下に貫通する下ガイド孔１４が形成されている。
【００２６】
一方、ガイド部材１３ｂは収納用空所５の上底面を構成する天井下地１０の下面に複数設けられており、各ガイド部材１３ｂは前記被ガイド部材１３ａに対応する位置に配置されている。
【００２７】
各ガイド部材１３ｂの中央には、下方に開口する円形の凹部１６が形成されている。凹部１６の直径は被ガイド部１５の直径と略同じである。凹部１６の上底面にはリミットスイッチ等からなる機械式センサ１１が設けられている。該機械式センサ１１に対応する被ガイド部材１３ａの被ガイド部１５の上面が接触することにより、収納用空所５内にパネル状スピーカー１が収納されたことが検知される。
【００２８】
また、各ガイド部材１３ｂの中心部には上下に貫通する上ガイド孔１７が形成されている。各上ガイド孔１７には天井下地１０を通した索状体３が挿通されている。さらに、この索状体３は対応する被ガイド部材１３ａの下ガイド孔１４に挿通され、背面板７ｂに接続されている。これら上ガイド孔１７及び下ガイド孔１４は索状体３をガイドする役割を果たしている。
【００２９】
ウインチ２ａにて室内にあるパネル状スピーカー１を上昇させて収納用空所５内に収納する時には、各被ガイド部材１３ａの被ガイド部１５が対応する各ガイド部材１３ｂの凹部１６に下方から挿入される。この時、各被ガイド部材１３ａの被ガイド部１５は凹部１６の内周面にてガイドされ、これにより、パネル状スピーカー１は下面を天井面４と略面一とした状態で収納用空所５内の水平方向及び上下方向の所定位置に配置される。
【００３０】
以上説明した本例のスピーカー装置は、パネル状スピーカー１を天井面４の一部に形成された収納用空所５に下面が天井面４と略面一とした状態で収納することができる。このため、パネル状スピーカー１を収納用空所５に収納した状態にあっては、パネル状スピーカー１の下面があたかも天井面４の一部を構成したような外観とすることができ、部屋の見栄えが良くなる。
【００３１】
また、パネル状スピーカー１は、ウインチ２ａからなる昇降手段２により、前記収納位置から下降させ、部屋の任意の高さ位置に配置することができる。このため、パネル状スピーカー１を、部屋に居る聴者の好みや、周囲環境、出力する音等に応じて変更することができる。この利用方法としては、例えばパネル状スピーカー１を部屋の低い位置に配置して、小さな音量でも聴者に対しては十分な音量と感じられるようにしたり、鳥の鳴き声等の音を高い位置から発したりすること等が挙げられる。また、パネル状スピーカー１を昇降できるので、パネル状スピーカー１の取り付けや交換、修理等をする際に低い位置で容易に作業を行うこともできる。
【００３２】
なお、本例の収納用空所５には一枚のパネル状スピーカー１が収納されるものであるが、昇降手段２にて昇降自在とされた二枚以上のパネル状スピーカー１が水平方向に並べて収納されるものであっても良いものとする。また、昇降手段２をハンドル等を操作して手動によりパネル状スピーカー１を昇降させるものであっても良いものとする。
【００３３】
次に他例のスピーカー装置について説明する。なお、本例及び後述の各例の説明では、一例のスピーカー装置と同一の構成については同一の番号を付与し、重複する説明は省略する。
【００３４】
他例のスピーカー装置は、図４（ａ）に示すように、被ガイド部材１３ａの被ガイド部１５の外周面１５ａが突端側（上側）程径が小さくなるテーパー状に形成されると共に、ガイド部材１３ｂの凹部１６の内周面１６ａが奥側（上側）程径が小さくなるテーパー状に形成されている。なお、外周面１５ａ及び内周面１６ａの傾斜角度は略同じである。
【００３５】
このようにすることで、ウインチ２ａにてパネル状スピーカー１を上昇させて被ガイド部１５を凹部１６に挿入する際に、被ガイド部１５と凹部１６の位置が若干ずれていたとしても、凹部１６のテーパー状の内周面１６ａにより被ガイド部１５をガイドしてパネル状スピーカー１を所定の収納位置にスムーズにガイドすることができる。
【００３６】
なお、本例及び一例のスピーカー装置は、被ガイド部材１３ａに突部からなる被ガイド部１５を形成し、これをガイド部材１３ｂに設けた凹部１６によりガイドしたが、被ガイド部材１３ａに凹部からなる被ガイド部を形成し、これをガイド部材１３ｂに設けた突部によりガイドしても良いものとする。
【００３７】
図５（ａ）及び図５（ｂ）に示す更に他例のスピーカー装置は、昇降手段２を支柱式のリフト２ｂや、パンタグラフ式のリフト２ｃにより構成したものであり、これらリフト２ｂ、２ｃの駆動方式としては油圧式やばね式が挙げられる。
【００３８】
図６に示す更に他例のスピーカー装置は、パネル状スピーカー１の向きを変更するための向き変更手段を備えたものである。該スピーカー装置は、昇降手段２を複数のウインチ２ａにより構成すると共に各ウインチ２ａによって巻き取られる索状体３を一枚のパネル状スピーカー１の異なる箇所に接続し、これら複数のウインチ２ａにより向き変更手段を構成している。
【００３９】
図６の例では、４台のウインチ２ａを備え、各ウインチ２ａの索状体３をパネル状スピーカー１の中央を挟んだ前後と左右の計４箇所に接続してある。各ウインチ２ａは操作部の操作により独立して駆動することができ、任意のウインチ２ａを駆動してパネル状スピーカー１の索状体３に接続された４箇所のうち任意の箇所を昇降させることができるようになっている。これにより、パネル状スピーカー１の前後左右の４箇所の相対的な高さ位置を変更して、パネル状スピーカー１を前後左右のいずれかの向きに任意の角度で向けることができるようになっている。
【００４０】
また、操作部は向き調節用自動スイッチを備えている。向き調節用自動スイッチを操作することで、ウインチ２ａにより、パネル状スピーカー１の向き及び垂直方向に対する角度を出荷時や操作部の操作により予め設定された所定の向き及び所定の角度に設定することができるようになっている。
【００４１】
本例にあっては、任意の高さ位置に配したパネル状スピーカー１の向き及び角度を調節し、パネル状スピーカー１からの音の発する方向を変更でき、パネル状スピーカー１から部屋の様々な箇所に居る聴者に向けて音を発することができる。
【００４２】
図７に示す更に他例のスピーカー装置は、昇降手段２をリフト２ｄで構成し、該リフト２ｄにより図６の例における向き変更手段を構成したものである。リフト２ｄは支柱式のリフトであり、駆動方式としては油圧式やばね式が挙げられる。
【００４３】
リフト２ｄはパネル状スピーカー１の中央部に接続されており、リフト２ｄのパネル状スピーカー１との接続部分の向きは図示しないモーターを駆動することにより任意の方向に変更できるようになっている。本例においても、図６の例と同様の効果を奏することができる。
【図面の簡単な説明】
【００４４】
【図１】本発明の実施形態の一例のスピーカー装置を示す説明図である。
【図２】同上のパネル状スピーカーを収納用空所に収納した状態を実線で、収納用空所から下降させた状態を破線で示した説明図である。
【図３】同上のパネル状スピーカーを収納位置に配置する直前の状態を示す要部断面図である。
【図４】他例のスピーカー装置のガイド手段を示し、（ａ）は被ガイド部材の斜視図であり、（ｂ）はガイド部材の斜視図である。
【図５】（ａ）（ｂ）は更に他例のスピーカー装置を示す説明図である。
【図６】更に他例の他例のスピーカー装置を示す説明図である。
【図７】更に他例のスピーカー装置を示す説明図である。
【符号の説明】
【００４５】
１  パネル状スピーカー
２  昇降手段
４  天井面
５  収納用空所
【図１】
2010081143.tif 000003
【図２】
2010081143.tif 000004
【図３】
2010081143.tif 000005
【図４】
2010081143.tif 000006
【図５】
2010081143.tif 000007
【図６】
2010081143.tif 000008
【図７】
2010081143.tif 000009